(57)【要約】【課題】部品点数を増やさずに、外部から端子同士の接触部に伝わる振動を極力小さく抑えて、端子同士の接触部の摺動摩耗を防止する。【解決手段】互いに嵌合するメス、オスコネクタハウジング１０、３０は、それぞれ外周部に位置して互いに嵌合する筒状のフード部１１、３１と、各フード部の内側空間の中心部に環状空間１２、３２を介して位置し、両フード部と非接触な状態で互いに嵌合することで互いに電気接続する接続端子をそれぞれに収容したコネクタ本体部１３、３３と、コネクタ嵌合方向の各後端に位置して、各コネクタ本体部を各フード部に環状空間を介して一体に連結する複数のリブ１８、３８とを具備する。リブは、それぞれ各コネクタ本体部の周方向に間隔をおいて配置され、メスコネクタハウジング側のリブ１８とオスコネクタハウジング側のリブ３８は、コネクタ嵌合方向の正面から見て位置が逆となるように位置をずらして配置されている。【選択図】図４
2011076747.tif 000002
【特許請求の範囲】
【請求項１】
互いに嵌合する第１コネクタハウジング及び第２コネクタハウジングを有し、前記第１コネクタハウジング及び第２コネクタハウジングがそれぞれ、外周部に位置して互いに嵌合する筒状のフード部と、該各フード部の内側空間の中心部に環状空間を介して位置し、前記両フード部と非接触な状態で互いに嵌合することで互いに電気接続する接続端子をそれぞれに収容したコネクタ本体部と、コネクタ嵌合方向の各後端に位置して、前記各コネクタ本体部を各フード部に前記環状空間を介して一体に連結する複数のリブとを具備しており、前記リブが、それぞれ前記各コネクタ本体部の周方向に間隔をおいて配置されていることを特徴とするコネクタ装置。
【請求項２】
請求項１に記載のコネクタ装置であって、
前記第１コネクタハウジング側の前記リブと前記第２コネクタハウジング側の前記リブとが、コネクタ嵌合方向の正面から見て位置が逆となるように位置をずらして配置されていることを特徴とするコネクタ装置。
【請求項３】
請求項２に記載のコネクタ装置であって、
前記第１コネクタハウジング及び第２コネクタハウジングのフード部並びにコネクタ本体部が、コネクタ嵌合方向の正面から見て同心状の略矩形状にそれぞれ形成されており、前記リブが、正面視略矩形状のコネクタ本体部及びフード部の互いに対向する４つの辺毎に１つずつ設けられており、前記コネクタ本体部を挟んで対向する位置関係にあるリブが、位置を各辺上において反対側に最大にずらして配置され、且つ、隣接するリブ間のコネクタ本体部の周方向における間隔が最大となるように設定されていることを特徴とするコネクタ装置。
【発明の詳細な説明】
【技術分野】
【０００１】
本発明は、端子同士の接触部に外部からの振動ができるだけ伝わらないようにしたコネクタ装置に関するものである。
【背景技術】
【０００２】
ガタ付きを防止するようにしたコネクタ装置の例として、特許文献１に記載のものが知られている。
【０００３】
図６は特許文献１に記載されたコネクタ装置の断面図であり、このコネクタ装置では、第１コネクタハウジング１１０と第２コネクタハウジング１２０の嵌合部の隙間に、第１コネクタハウジング１１０側の斜面部１１２に摺動可能な傾斜部１３２を有したくさび形状のガタ規制部材１３０が挿入されており、このガタ規制部材１３０が、係合アーム１２５の弾性を利用して、くさびを打ち込む方向に付勢されることにより、第１コネクタハウジング１１０と第２コネクタハウジング１２０の嵌合部に生じるガタ付きを防止するようにしている。
【先行技術文献】
【特許文献】
【０００４】
【特許文献１】特開２００４−１３４１８９号公報
【発明の概要】
【発明が解決しようとする課題】
【０００５】
ところで、上記従来のコネクタ装置では、第１コネクタハウジング１１０と第２コネクタハウジング１２０の相互間のガタ付きは防止できるものの、外部から加わる振動が内部の端子同士の接触部に作用するのを防ぐことまでは困難であると予想される。また、ガタ規制を行う部分に経年変化等によるへたりが生じた場合、ガタ規制の働きが弱まって、内部に伝わる振動がより大きくなり、端子同士の接触部の摺動摩耗（接点摩耗）が大きくなることも予想される。さらに、くさび形のガタ規制部材１３０を第１、第２コネクタハウジング１１０、１２０とは別に用意する必要があるので、部品コストがかかる上に、組立作業性も悪くなるという問題がある。
【０００６】
本発明は、上記事情を考慮し、部品点数を増やさずに、外部から端子同士の接触部に伝わる振動を極力小さく抑えて、端子同士の接触部の摺動摩耗（接点摩耗）を防止できるようにしたコネクタ装置を提供することを目的とする。
【課題を解決するための手段】
【０００７】
上記課題を解決するために、請求項１の発明のコネクタ装置は、互いに嵌合する第１コネクタハウジング及び第２コネクタハウジングを有し、前記第１コネクタハウジング及び第２コネクタハウジングがそれぞれ、外周部に位置して互いに嵌合する筒状のフード部と、該各フード部の内側空間の中心部に環状空間を介して位置し、前記両フード部と非接触な状態で互いに嵌合することで互いに電気接続する接続端子をそれぞれに収容したコネクタ本体部と、コネクタ嵌合方向の各後端に位置して、前記各コネクタ本体部を各フード部に前記環状空間を介して一体に連結する複数のリブとを具備しており、前記リブが、それぞれ前記各コネクタ本体部の周方向に間隔をおいて配置されていることを特徴とする。
【０００８】
請求項２の発明は、請求項１に記載のコネクタ装置であって、前記第１コネクタハウジング側の前記リブと前記第２コネクタハウジング側の前記リブとが、コネクタ嵌合方向の正面から見て位置が逆となるように位置をずらして配置されていることを特徴とする。
【０００９】
請求項３の発明は、請求項２に記載のコネクタ装置であって、前記第１コネクタハウジング及び第２コネクタハウジングのフード部並びにコネクタ本体部が、コネクタ嵌合方向の正面から見て同心状の略矩形状にそれぞれ形成されており、前記リブが、正面視略矩形状のコネクタ本体部及びフード部の互いに対向する４つの辺毎に１つずつ設けられており、前記コネクタ本体部を挟んで対向する位置関係にあるリブが、位置を各辺上において反対側に最大にずらして配置され、且つ、隣接するリブ間のコネクタ本体部の周方向における間隔が最大となるように設定されていることを特徴とする。
【発明の効果】
【００１０】
請求項１の発明によれば、実際に接続端子を収容しているコネクタ本体部の外側に環状空間を介してフード部を設け、コネクタ嵌合時に、互いに嵌合するフード部に非接触な状態でコネクタ本体部同士が嵌合するようにしており、しかも、フード部とコネクタ本体部を連結するリブをコネクタ本体部の周方向に間隔をおいてコネクタ嵌合方向の各後端だけに設けているので、外部の振動がフード部に作用しても、その振動が、接続端子を収容しているコネクタ本体部に伝わり難くすることができ、接続端子同士の接触部の摺動摩耗を防止することができる。また、コネクタハウジング以外に余計な部品を使用しないので、部品点数を増やすことがなく、コストアップを抑制できると共に、組立作業の面倒も減らすことができる。
【００１１】
請求項２の発明によれば、第１コネクタハウジング側のリブと第２コネクタハウジング側のリブとを、コネクタ嵌合方向の正面から見て位置が逆となるように位置をずらして配置してあるので、より一層外部から内部への振動の伝わりを防ぐことができる。
【００１２】
請求項３の発明によれば、４つのリブによって、正面視略矩形状のフード部に対して正面視略矩形状のコネクタ本体部をバランスよく支持させることができるので、外部（フード部）から内部（コネクタ本体部）への振動の伝達を有効に防止することができる。
【図面の簡単な説明】
【００１３】
【図１】本発明の実施形態のコネクタ装置の嵌合前の状態を示す斜視図である。
【図２】同コネクタ装置の嵌合時の状態を示す斜視図である。
【図３】（ａ）は同コネクタ装置の嵌合時の状態を示す正面図、（ｂ）は側面図、（ｃ）は背面図である。
【図４】（ａ）は同コネクタ装置の嵌合時の状態を示す正面図、（ｂ）は（ａ）のＡ−Ａ矢視断面図である。
【図５】図４（ａ）のＢ−Ｂ矢視断面図である。
【図６】従来のコネクタ装置の断面図である。
【発明を実施するための形態】
【００１４】
以下、本発明の実施形態を図面を参照して説明する。
【００１５】
図１は実施形態のコネクタ装置の嵌合前の状態を示す斜視図、図２は同コネクタ装置の嵌合時の状態を示す斜視図、図３（ａ）は同コネクタ装置の嵌合時の状態を示す正面図、図３（ｂ）は側面図、図３（ｃ）は背面図、図４（ａ）は同コネクタ装置の嵌合時の状態を示す正面図、図４（ｂ）は図４（ａ）のＡ−Ａ矢視断面図、図５は図４（ａ）のＢ−Ｂ矢視断面図である。
【００１６】
このコネクタ装置は、互いに嵌合するメスコネクタハウジング（第１コネクタハウジング）１０及びオスコネクタハウジング（第２コネクタハウジング）３０と、各コネクタハウジング１０、３０の内部に収容されて、両コネクタハウジング１０、３０が嵌合されたときに互いに電気接続されるオス端子及びメス端子（いずれも図示略）とから構成されている。
【００１７】
メスコネクタハウジング１０及びオスコネクタハウジング３０はそれぞれ、外周部に位置して互いに嵌合する筒状のフード部１１、３１と、各フード部１１、３１の内側空間の中心部に環状空間１２、３２を介して位置し、両フード部１１、３１と非接触な状態で互いに嵌合することで互いに電気接続する接続端子（図示略）をそれぞれに収容したコネクタ本体部１３、３３と、コネクタ嵌合方向の各後端に位置して、各コネクタ本体部１３、３３を各フード部１１、３１に環状空間１２、３２を介して一体に連結する複数のリブ１８、３８とを一体的に具備した樹脂成形品により構成されている。
【００１８】
メスコネクタハウジング１０及びオスコネクタハウジング３０のフード部１１、３１並びにコネクタ本体部１３、３３は、コネクタ嵌合方向の正面から見て同心状の略正方形状（矩形状）にそれぞれ形成されており、メスコネクタハウジング１０のコネクタ本体部１３の前端部には、嵌合穴１５にオスコネクタハウジング３０のコネクタ本体部３３の前端側が嵌まる角筒壁１４が設けられている。
【００１９】
ここで、メスコネクタハウジング１０に収容される図示略のオス端子は、コネクタ本体部１３に設けられた端子収容孔１６に基端が固定されることで、先端が嵌合穴１５の底壁より前方に突き出している。また、オスコネクタハウジング３０に収容される図示略のメス端子は、コネクタ本体部３３の端子収容室３６に収容固定されている。
【００２０】
また、フード部１１、３１にコネクタ本体部１３、３３を連結するリブ１８、３８は、それぞれ各コネクタ本体部１３、３３の周方向に間隔をおいて配置されており、メスコネクタハウジング１０側のリブ１８と第２コネクタハウジング３０側のリブ３８とは、コネクタ嵌合方向の正面から見て位置が逆となるように位置をずらして配置されている。また、リブ１８、３８は、正面視略正方形状のコネクタ本体部１３、３３及びフード部１１、３１の互いに対向する４つの辺毎に１つずつ設けられており、コネクタ本体部１３、３３を挟んで対向する位置関係にあるリブ１８、３８は、位置を各辺上において反対側に最大にずらして配置され、且つ、隣接するリブ１８、３８間のコネクタ本体部１３、３３の周方向における間隔が最大となるように設定されている。
【００２１】
このように構成されたメスコネクタハウジング１０とオスコネクタハウジング３０を図２及び図３に示すように嵌合すると、図４及び図５に示すように、メスコネクタハウジング１０のフード部１１の内周にオスコネクタハウジング３０のフード部３１の外周が嵌合する。同時に、メスコネクタハウジング１０のコネクタ本体部１３の前端の嵌合穴１５の内周にオスコネクタハウジング３０のコネクタ本体部３３の外周が嵌合する。そして、これにより、両コネクタ本体部１３、３３に収容されたオス端子とメス端子が電気接続される。このとき、メスコネクタハウジング１０のコネクタ本体部１３の前端部にある角筒壁１４の外周は、オスコネクタハウジング３０のフード部３１の内周に近接した位置にあるが、隙間２０を介して、非接触な状態に保持されている。
【００２２】
従って、外周のフード部１１、３１に外部から振動が加わっても、コネクタ本体部１３、３３にその振動が伝わりにくくなる。しかも、振動が伝わったとしても、リブ１８、３８を介して伝わるだけであるから、僅かなレベルに抑制することができる。
【００２３】
このように、本実施形態のコネクタ装置によれば、実際に接続端子を収容しているコネクタ本体部１３、３３の外側に環状空間１２、３２を介してフード部１１、３１を設け、コネクタ嵌合時に、互いに嵌合するフード部１１、３１に非接触な状態でコネクタ本体部１３、３３同士が嵌合するようになっており、しかも、フード部１１、３１とコネクタ本体部１３、３３を連結するリブ１８、３８が、コネクタ本体部１１、３３の周方向に間隔をおいてコネクタ嵌合方向の各後端だけに設けられているので、外部の振動がフード部１１、３１に作用しても、その振動が接続端子を収容しているコネクタ本体部１３、３３に伝わり難くなる。従って、接続端子同士の接触部の摺動摩耗の防止が図れる。
【００２４】
特に、メスコネクタハウジング１０側のリブ１８とオスコネクタハウジング３０側のリブ３８は、コネクタ嵌合方向の正面から見て位置が逆となるように位置をずらして配置されているので、より一層外部から内部への振動の伝わりを防ぐことができる。
【００２５】
また、４つのリブ１８、３８によって、正面視略矩形状のフード部１１、３１に対して正面視略矩形状のコネクタ本体部１３、３３をバランスよく支持させているので、外部（フード部１１、３１）から内部（コネクタ本体部１３、３３）への全方向の振動の伝達を有効に防止することができる。
【００２６】
また、このコネクタ装置では、メスコネクタハウジング１０及びオスコネクタハウジング３０以外に余計な部品（ガタ規制部材等）を使用しないので、部品点数を増やすことがなく、コストアップを抑制できると共に、組立作業の面倒も減らすことができる。
【００２７】
なお、上記実施形態では、フード部１１、３１及びコネクタ本体部１３、３３の正面から見た形状を正方形状にした場合を示したが、正方形以外の矩形状に設定してもよい。また、円形や楕円形に設定することもできる。その場合のリブの配置や個数は、形状に応じて最適に設定すればよい。
【符号の説明】
【００２８】
１０  メスコネクタハウジング（第１コネクタハウジング）
１１  フード部
１２  環状空間
１３  コネクタ本体部
１８  リブ
３０  オスコネクタハウジング（第２コネクタハウジング）
３１  フード部
３２  環状空間
３３  コネクタ本体部
【図１】
2011076747.tif 000003
【図２】
2011076747.tif 000004
【図３】
2011076747.tif 000005
【図４】
2011076747.tif 000006
【図５】
2011076747.tif 000007
【図６】
2011076747.tif 000008